(57)【特許請求の範囲】
【請求項１】
親機（２）とコードレスで接続され電波信号の送受を行なうコードレス子機（１）で待受け時に間欠受信動作をし、前記親機、前記コードレス子機間で通話するコードレス通話装置であって、
前記コードレス子機は、前記電波信号のノイズ検出を行なうノイズ検出回路（１０７）と、前記親機に収容中に前記ノイズ検出回路から出力されるノイズ検出出力を判定する閾値を変化させて、強い電波を受信したときに前記間欠受信動作を止め連続受信動作に移行するための比較・制御手段（１０８、１０９）とを備えたことを特徴とするコードレス通話装置。
【請求項２】
親機（２）とコードレスで接続され電波信号の送受を行なうコードレス子機（１０）で待受け時に間欠受信動作をし、前記親機、前記コードレス子機間で通話するコードレス通話装置であって、
前記コードレス子機は、前記親機に収容中に減衰量を大きくして、強い電波を受信したときに前記間欠受信動作を止め連続受信動作に移行するための減衰・制御手段（１１８、１０９）を備えたことを特徴とするコードレス通話装置。
【請求項３】
親機（２）とコードレスで接続され電波信号の送受を行なうコードレス子機（１）で待受け時に間欠受信動作をし、前記親機、前記コードレス子機間で通話するコードレス通話装置であって、
前記コードレス子機は、前記親機の磁石（ＭＧ１）により作動するスイッチ手段（ＳＷ１）と、前記電波信号のノイズ検出を行なうノイズ検出回路（１０７）と、前記親機に収容中又は近接中に作動する前記スイッチ手段からの信号を検出し、前記ノイズ検出回路から出力されるノイズ検出出力を判定する閾値を変化させて、強い電波を受信したときに前記間欠受信動作を止め連続受信動作に移行するための比較・制御手段（１０８、１０９）とを備えたことを特徴とするコードレス通話装置。
【発明の詳細な説明】
【０００１】
【発明の属する技術分野】
本発明は、コードレス通話装置に係り、特に、待受け時に間欠受信動作をするコードレス子機を有するコードレス通話装置に関する。
【０００２】
【従来の技術】
従来から、親機とコードレスで接続され電波信号の送受を行うコードレス子機で待受け時に間欠受信動作をするコードレス通話装置が知られている。このコードレス通話装置は図６に示すように、親機２０は公衆回線Ｌに接続されコードレス子機３０と無線通信を行うための親機アンテナ２０１を備え、コードレス子機３０は親機２０と無線通信を行うための子機アンテナ３０１と、親機２０との無線通信により公衆回線Ｌを介して相手側との通話を行うレシーバ３０２およびマイク３０３とを備えている。
【０００３】
このようなコードレス通話装置のコードレス子機３０は図７に示すように、子機アンテナ３０１、レシーバ３０２およびマイク３０３の他に、呼出スピーカ３０４、受信回路３０５、レシーバアンプ３０６、ノイズ検出回路３０７、コンパレータ３０８、ＣＰＵ３０９、送信回路３１０、マイクアンプ３１１、分波器３１２、充電検出回路３１３、充電回路３１４、充電池３１５、パワーアンプ３１６および呼出音発生回路３１７から構成されている。
【０００４】
子機アンテナ３０１は分波器３１２に接続され、分波器３１２は受信回路３０５および送信回路３１０に接続されている。受信回路３０５はレシーバアンプ３０６を介してレシーバ３０２に接続されている。送信回路３１０はマイクアンプ３１１を介してマイク３０３に接続されている。受信回路３０５とレシーバアンプ３０６との接続点にはノイズ検出回路３０７が接続され、ノイズ検出回路３０７はコンパレータ３０８の入力端子に接続されている。また、呼出スピーカ３０４はパワーアンプ３１６を介して呼出音発生回路３１７に接続されている。なお、充電池３１５は充電回路３１４に接続され、一対の充電用接点３１ａ、３１ｂが親機２０に設けられた一対の充電用接点２２ａ、２２ｂに接続、即ち、コードレス子機３０が親機２０に収容されている時には、充電池３１５を充電することができる。なお、この電源部は各回路、アンプ等の電源として用いられる。
【０００５】
これら各回路、アンプ等を制御するＣＰＵ３０９の制御用の各端子には、受信回路３０５、送信回路３１０、コンパレータ３０８、マイクアンプ３１１、レシーバアンプ３０６、呼出音発生回路３１７および充電検出回路３１３が接続されている。
【０００６】
このような構成のコードレス通話装置において、コードレス子機３０が親機２０に収容されている待受け時に、当該親機２０が公衆回線Ｌからの着信信号Ｓ51を検出すると、図８（ａ）に示すような着信電波信号Ｓ52を親機アンテナ２０１から送信する。コードレス子機３０は、この着信電波信号Ｓ52を子機アンテナ３０１で受信し、分波器３１２を介して受信回路３０５で復調する。受信回路３０５で復調された着信信号Ｓ53は、ノイズ検出回路３０７でノイズ検出され、そのノイズが低減されてコンパレータ３０８に出力される。コンパレータ３０８は、ノイズが低減された着信信号Ｓ53aに基づき確認信号Ｓ54をＣＰＵ３０９のＣＳ端子に出力する。ＣＰＵ３０９は、この確認信号Ｓ54が入力されると、受信回路３０５の図８（ｂ）に示すような間欠受信動作を止め、図８（ｃ）に示すような連続受信動作に移行させる。連続受信動作に移行すると、受信回路３０５で復調された着信信号Ｓ53はＣＰＵ３０９のＤＩ端子に出力される。ＣＰＵ３０９は、この着信信号Ｓ53を照合確認し、対応する親機２０からの着信信号であったときには、着信動作に入りＴＯ端子から呼出音発生回路３１７に呼出信号Ｓ55を出力する。呼出音発生回路３１７はパワーアンプ３１６を介して呼出スピーカ３０４から呼出音を鳴動させる。
【０００７】
この呼出スピーカ３０４からの呼出音により、使用者がコードレス子機３０を親機２０から取り上げると、コードレス子機３０の一対の充電用接点３１ａ、３１ｂが親機２０の一対の充電用接点２２ａ、２２ｂから外れ充電が停止するので、充電検出回路３１３は充電停止信号Ｓ56をＣＰＵ３０９のＪＵ端子に出力する。ＣＰＵ３０９は、この充電停止信号Ｓ56に基づき着信動作を止め通話動作に移行する。通話動作に移行後、コードレス子機３０の使用者が発した音声は、マイク３０３にて音声信号Ｓ61に変換されマイクアンプ３１１、送信回路３１０および分波器３１２を経由して子機アンテナ３０１より音声電波信号Ｓ62として親機２０に送信される。
【０００８】
一方、親機２０の親機アンテナ２０１から送信された音声電波信号Ｓ70は、通話動作中のコードレス子機３０の子機アンテナ３０１に受信され、分波器３１２、受信回路３０５、レシーバアンプ３０６を経由してレシーバ３０２から放音される。これにより、親機２０とコードレス子機３０とのコードレス通話が成立する。
【０００９】
【発明が解決しようとする課題】
しかしながら、このような従来のコードレス通話装置のコードレス子機３０では、対応する親機２０以外の親機等からの微弱な着信電波信号を受信してもノイズ検出回路３０７およびコンパレータ３０８が動作してＣＰＵ３０９へ確認信号Ｓ54を出力するので、間欠受信動作を止め連続受信動作に移行して着信信号の照合確認を行うが、対応する親機からの着信信号でなければ再度、間欠受信動作へ戻ることになる。
【００１０】
このように、対応する親機２０以外の親機からの微弱な電波信号を受信しても、間欠受信動作を止めて連続受信動作状態になるので、充電池３１５が大量に消費されると同時に、コードレス子機３０が収容されている親機２０の電源消費も増大するという難点があった。
【００１１】
本発明はこのような従来の難点を解決するためになされたもので、遠方から到来するような対応しない親機からの微弱な電波では反応せずに間欠受信動作を継続させることにより、装置全体の消費電力を低減させたコードレス通話装置を提供することを目的とする。
【００１２】
【課題を解決するための手段】
このような目的を達成する本発明のコードレス通話装置は、親機とコードレスで接続され電波信号の送受を行なうコードレス子機で待受け時に間欠受信動作をし、親機、コードレス子機間で通話するコードレス通話装置であって、コードレス子機は、電波信号のノイズ検出を行なうノイズ検出回路と、親機に収容中にノイズ検出回路から出力されるノイズ検出出力を判定する閾値を変化させて、強い電波を受信したときに間欠受信動作を止め連続受信動作に移行するための比較・制御手段とを備えたものである。
【００１３】
このようなコードレス通話装置によれば、親機とコードレス子機とが収容されたことを感知した時には、コードレス子機の電波信号の受信感度を変化させることができるので、微弱の電波信号では反応しなくなり間欠受信動作を継続させることができる。
【００１４】
また、本発明のコードレス通話装置は、親機とコードレスで接続され電波信号の送受を行なうコードレス子機で待受け時に間欠受信動作をし、親機、コードレス子機間で通話するコードレス通話装置であって、コードレス子機は、親機に収容中に減衰量を大きくして、強い電波を受信したときに間欠受信動作を止め連続受信動作に移行するための減衰・制御手段とを備えたものである。
【００１５】
このようなコードレス通話装置によれば、コードレス子機が受信する電波信号を減衰させるので、微弱の電波信号では反応しなくなり間欠受信動作を継続させることができる。
【００１６】
また、本発明のコードレス通話装置は、親機とコードレスで接続され電波信号の送受を行なうコードレス子機で待受け時に間欠受信動作をし、親機、コードレス子機間で通話するコードレス通話装置であって、コードレス子機は、親機の磁石により作動するスイッチ手段と、電波信号のノイズ検出を行なうノイズ検出回路と、親機に収容中又は近接中に作動するスイッチ手段からの信号を検出し、ノイズ検出回路から出力されるノイズ検出出力を判定する閾値を変化させて、強い電波を受信したときに間欠受信動作を止め連続受信動作に移行するための比較・制御手段とを備えたものである。
【００１７】
このようなコードレス通話装置によれば、磁石を有する親機と、この磁石により作動するスイッチ手段を有するコードレス子機とが収容または近接されたことを感知した時には、コードレス子機の電波信号の受信感度を変化させることができるので、微弱の電波信号では反応しなくなり間欠受信動作を継続させることができる。
【００１８】
【発明の実施の形態】
以下、本発明のコードレス通話装置による好ましい実施の形態例について、図面を参照して説明する。
【００１９】
本発明のコードレス通話装置は図６に示すような従来のコードレス通話装置と同様に、公衆回線Ｌに接続され後述するコードレス子機１と無線通信を行うための親機アンテナ２０１を備えた親機２と、親機２と無線通信を行うための子機アンテナ１０１、親機２との無線通信により公衆回線Ｌを介して相手側との通信を行うレシーバ１０２およびマイク１０３とを備えている。
【００２０】
このようなコードレス通話装置のコードレス子機１は図１に示すように、子機アンテナ１０１、レシーバ１０２およびマイク１０３の他に、呼出スピーカ１０４、受信回路１０５、レシーバアンプ１０６、ノイズ検出回路１０７、比較手段としてのコンパレータ１０８、ＣＰＵ１０９、送信回路１１０、マイクアンプ１１１、分波器１１２、充電検出回路１１３、充電回路１１４、充電池１１５、パワーアンプ１１６および呼出音発生回路１１７から構成されている。
【００２１】
子機アンテナ１０１は分波器１１２に接続され、分波器１１２は受信回路１０５および送信回路１１０に接続されている。受信回路１０５はレシーバアンプ１０６を介してレシーバ１０２に接続されている。送信回路１１０はマイクアンプ１１１を介してマイク１０３に接続されている。また、受信回路１０５とレシーバアンプ１０６との接続点にはノイズ検出回路１０７が接続され、ノイズ検出回路１０７はコンパレータ１０８の一方の入力端子に接続されている。
【００２２】
これら各回路、アンプ等を制御するＣＰＵ１０９には、制御用のＲＰ端子、ＤＩ端子、ＴＰ端子、ＤＯ端子、ＣＯ端子、ＣＳ端子、ＴＡ端子、ＲＡ端子、ＴＯ端子およびＪＵ端子が設けられている。ＲＰ端子およびＤＩ端子は受信回路１０５に接続され、ＴＰ端子およびＤＯ端子は送信回路１１０に接続され、ＣＯ端子はコンパレータ１０８の他方の入力端子に接続され、ＣＳ端子はコンパレータ１０８の出力端子に接続され、ＴＡ端子はマイクアンプ１１１に接続され、ＲＡ端子はレシーバアンプ１０６に接続されている。
【００２３】
また、ＴＯ端子は呼出音発生回路１１７に接続され、呼出音発生回路１１７はパワーアンプ１１６を介して呼出スピーカ１０４に接続されている。また、ＪＵ端子は充電検出回路１１３に接続され、充電検出回路１１３は充電回路１１４に接続されている。この充電回路１１４の電源入力側は一対の充電用接点の一方の接点１１ａに接続され、他方の接点１１ｂはアースされている。また、充電回路１１４の電源出力側は充電池１１５に接続され、この接続点は各回路、アンプ等に接続されている。この一対の充電用接点１１ａ、１１ｂは、コードレス子機１が親機２に収容されている時に、当該親機２に設けられた一対の充電用接点２２ａ、２２ｂに接続され充電池１１５を充電することができる。
【００２４】
このようなコードレス子機１を統括制御するＣＰＵ１０９は、当該コードレス子機１が親機２に収容中の場合には、充電検出回路１１３から充電池１１５を充電中であることを知らせる充電信号Ｓ8がＪＵ端子に入力されるので、ＣＯ端子からコンパレータ１０８に充電中であることを示す第１の比較信号Ｓ9を出力する。この第１の比較信号Ｓ9は、コンパレータ１０８の閾値を図２に示すようなＴＶ２に設定することになるので、ノイズ検出回路１０７から出力されるノイズ検出出力が閾値ＴＶ２以下となる受信電波入力レベルＶ２以上の強い電波を受信したときに（矢印Ｄの位置）、コンパレータ１０８は間欠受信動作を止め連続受信動作に移行させる確認信号Ｓ4を、ＣＰＵ１０９のＣＳ端子に出力する。したがって、ノイズ検出回路１０７から出力されるノイズ検出出力が閾値ＴＶ２以上となる受信電波入力レベルＶ２以下の弱い電波を受信したときには、コンパレータ１０８は確認信号Ｓ4をＣＰＵ１０９のＣＳ端子に出力しないので、間欠受信動作は継続されることになる。
【００２５】
また、ＣＰＵ１０９は、コードレス子機１が親機２から取り上げられている場合には、充電検出回路１１３から充電池１１５の充電が中止されたことを知らせる充電中止信号Ｓ10がＪＵ端子に入力されるので、ＣＯ端子からコンパレータ１０８に充電中止であることを示す第２の比較信号Ｓ11を出力する。この第２の比較信号Ｓ11は、コンパレータ１０８の閾値を図２に示すようなＴＶ１に設定することになるので、ノイズ検出回路１０７から出力されるノイズ検出出力が閾値ＴＶ１以下となる受信電波入力レベルＶ２〜Ｖ１までの微弱な電波を受信したときにおいても（矢印Ｃの位置）、コンパレータ１０８は連続受信動作を継続させる継続信号Ｓ7を、ＣＰＵ１０９のＣＳ端子に出力することができるようになる。したがって、ノイズ検出回路１０７から出力されるノイズ検出出力が閾値ＴＶ１以上となる受信電波入力レベルＶ１以下の非常に微弱な電波を受信したときには、コンパレータ１０８は継続信号Ｓ7をＣＰＵ１０９のＣＳ端子に出力しないので、連続受信動作を止め間欠受信動作に移行されることになる。
【００２６】
このように構成されたコードレス通話装置において、コードレス子機１が親機２に収容されている待受け時に、当該親機２が公衆回線Ｌからの着信信号Ｓ1を検出すると（図６）、図８（ａ）に示すような着信電波信号Ｓ2を親機アンテナ２０１から送信する。コードレス子機１は、この着信電波信号Ｓ2を子機アンテナ１０１で受信し、分波器１１２を介して受信回路１０５で復調する。受信回路１０５で復調された着信信号Ｓ3は、ノイズ検出回路１０７でノイズ検出され、コンパレータ１０８に出力される。この際、コードレス子機１は充電中なので、コンパレータ１０８の閾値はＴＶ２に設定されているが、対応する親機２は直近に位置して着信電波信号Ｓ2は強い電波となっているので、ノイズ検出回路１０７のノイズ検出出力が閾値ＴＶ２以下になるので（図２）、コンパレータ１０８は間欠受信動作を止め連続受信動作に移行させる確認信号Ｓ4をＣＰＵ１０９のＣＳ端子に出力する。
【００２７】
ＣＰＵ１０９は、この確認信号Ｓ4が入力されると、受信回路１０５の図８（ｂ）に示すような間欠受信動作を止め、図８（ｃ）に示すような連続受信動作に移行させる。連続受信動作に移行すると、受信回路１０５で復調された着信信号Ｓ3はＣＰＵ１０９のＤＩ端子に出力される。ＣＰＵ１０９は、この着信信号Ｓ3を照合確認し、対応する親機２からの着信信号であったときには、着信動作に入りＴＯ端子から呼出音発生回路１１７に呼出信号Ｓ5を出力する。呼出音発生回路１１７はパワーアンプ１１６を介して呼出スピーカ１０４から呼出音を鳴動させる。
【００２８】
この呼出スピーカ１０４からの呼出音により、使用者がコードレス子機１を親機２から取り上げると、コードレス子機１の一対の充電用接点１１ａ、１１ｂが親機２の一対の充電用接点２２ａ、２２ｂ（図６）から外れ、充電が停止するので、充電検出回路１１３は充電停止信号Ｓ6をＣＰＵ１０９のＪＵ端子に出力する。ＣＰＵ１０９は、この充電停止信号Ｓ6に基づき着信動作を止め通話動作に移行する。この際、コードレス子機１は充電が中止され、コンパレータ１０８の閾値はＴＶ１に設定、即ち、受信感度が高く設定されているので、受信電波入力レベルがＶ２〜Ｖ１までの微弱な電波を受信したときにおいても、当該コンパレータ１０８は連続受信動作を継続させる継続信号Ｓ7をＣＰＵ１０９のＣＳ端子に出力する。
【００２９】
したがって、通話動作に移行後、コードレス子機１の使用者が発した音声は、マイク１０３にて音声信号Ｓ21に変換されマイクアンプ１１１、送信回路１１０および分波器１１２を経由して子機アンテナ１０１より音声電波信号Ｓ22として親機２に送信される。一方、親機２の親機アンテナ２０１から送信された音声電波信号Ｓ30は、通話動作中のコードレス子機１の子機アンテナ１０１に受信され、分波器１１２、受信回路１０５、レシーバアンプ１０６を経由してレシーバ１０２から放音される。これにより、親機２とコードレス子機１とのコードレス通話が成立する。
【００３０】
なお、上述した本発明のコードレス通話装置の好ましい実施の形態例においては、コードレス子機１が親機２に収容中にノイズ検出回路１０７から出力されるノイズ検出出力を判定する閾値を変化させて、強い電波を受信したときに間欠受信動作を止め連続受信動作に移行するためのコンパレータ１０８を備えたが、これに限らず、図３に示すように、コードレス子機１が親機２に収容中又は近接中に減衰量を大きくして、強い電波を受信したときに間欠受信動作を止め連続受信動作に移行するための減衰器１１８を設けてもよい。
【００３１】
具体的には、図１に示すコードレス子機１の分波器１１２と受信回路１０５との間に、減衰器１１８を接続させ、コンパレータ１０８の他方の入力端子とＣＰＵ１０９のＣＯ端子との接続を分離させる。これにより、コンパレータ１０８は、閾値を図４に示すように、ＴＶ３と高く設定しても、受信電波入力レベルがＶ３以上に高くならなければ、間欠受信動作を止め連続受信動作に移行させる確認信号Ｓ4を、ＣＰＵ１０９のＣＳ端子に出力しないことになる。したがって、受信電波入力レベルがＶ３以下の微弱な電波の場合、例えば遠方から到来するような対応しない親機からの微弱な電波では反応しなくなる。
【００３２】
また、本発明のコードレス通話装置の好ましい実施の形態例は、これらに限らず、図５、図６に示すように、親機２に磁石ＭＧ１を設け、コードレス子機１あるいは１０に当該コードレス子機１あるいは１０を親機２に収容中または近接中に作動するリードスイッチＳＷ１をＣＰＵ１０９のＲＷ端子に接続させて設けてもよい。これにより、コードレス子機１あるいは１０に充電検出回路１１３を設置しなくとも、コードレス子機１あるいは１０を親機２に収容中または近接中かを検出することができる。
【００３３】
具体的には、リードスイッチＳＷ１をコードレス子機１（図１）に設けた場合、コードレス子機１を親機２に収容中または近接中のときには、リードスイッチＳＷ１から収容信号Ｓ12あるいは近接信号Ｓ13がＣＰＵ１０９のＪＵ端子に入力されるので、ＣＰＵ１０９のＣＯ端子からコンパレータ１０８に収容中または近接中であることを示す第１の比較信号Ｓ9を出力する。以下、図１に示すコードレス子機１と同様のＣＰＵ１０９の制御により、間欠受信動作を止め連続受信動作に移行させることができる。
【００３４】
また、リードスイッチＳＷ１をコードレス子機１０（図３）に設けた場合は、減衰器１１８によってコードレス子機１を親機２に収容中または近接中であることを確認することができる。
【００３５】
このようなリードスイッチＳＷ１は、コードレス子機１が親機２に接近した時に動作するスイッチならば、どのようなスイッチでもよい。
【００３６】
【発明の効果】
以上の説明から明らかなように、本発明のコードレス通話装置によれば、コードレス子機が対応する親機以外の微弱な電波を受信したときには、間欠受信動作を継続することができるので、不必要に連続受信状態にならずシステムの消費電力を減らすことができる。
【図面の簡単な説明】
【図１】  本発明のコードレス通話装置に用いられるコードレス子機の実施の形態例を示すブロック図。
【図２】  図１のコードレス子機のコンパレータの動作を示す動作説明図。
【図３】  本発明のコードレス通話装置に用いられるコードレス子機の他の実施の形態例を示すブロック図。
【図４】  図３のコードレス子機のコンパレータの動作を示す動作説明図。
【図５】  本発明のコードレス通話装置に用いられるコードレス子機の他の実施の形態例を示す部分ブロック図。
【図６】  コードレス通話装置を示す全体構成図。
【図７】  従来のコードレス通話装置に用いられるコードレス子機の他の実施の形態例を示す部分ブロック図。
【図８】  コードレス通話装置のコードレス子機の受信動作を示す説明図。
【符号の説明】
１、１０・・・・・コードレス子機
１０７・・・・・ノイズ検出回路
１０８・・・・・コンパレータ（比較手段）
１０９・・・・・ＣＰＵ（制御手段）
１１８・・・・・減衰器（減衰手段）
ＳＷ１・・・・・リードスイッチ（スイッチ手段）
２・・・・・親機
ＭＧ１・・・・・磁石
【図１】
0004327955.tif 000002
【図２】
0004327955.tif 000003
【図３】
0004327955.tif 000004
【図４】
0004327955.tif 000005
【図５】
0004327955.tif 000006
【図６】
0004327955.tif 000007
【図７】
0004327955.tif 000008
【図８】
0004327955.tif 000009